(57)【特許請求の範囲】
【請求項１】
前方が開口したキャビネットの内側壁に固定される外スライドレールと、該外スライドレール内に摺動可能に配設され、前記キャビネット内を前後方向に摺動する引き出しに対して着脱可能な内スライドレールと、を備えた引き出しのスライドレール構造であって、
前面視において前記内スライドレールの前記キャビネットの中心線側には、上方向に前記外スライドレールより突出して配設された第一の支持板が装着され、
該第一の支持板の前記外スライドレールより突出した部分には、前記キャビネットの内側壁側に向かって突出して、前面視において自由端側が上方に向かう断面略Ｌ字状に形成された第一の取付部が形成され、
該第一の取付部の自由端部には、上方に突出する係合凸部が複数形成され、
前記引き出しの両側壁部には、第二の支持板が装着され、
該第二の支持板の上部には、前記引き出しの側壁部の外方向に突出して前面視において自由端側が下方に向かって突出して、断面略Ｌ字状に形成された第二の取付部が形成され、
該第二の取付部には、前記引き出し装着時、前記係合凸部に対応する位置に被係合部が形成され、
前記内スライドレールの前記キャビネットの中心線側の面と、前記外スライドレールのキャビネットの内側壁側の面との間で、前記係合凸部と、前記被係合部とを係合させて前記引き出しが取り付けられることを特徴とする引き出しのスライドレール構造。
【請求項２】
前記第二の取付部は、水平方向に延びる第二の水平部と、前記第二の水平部の自由端部で鉛直下方向に延びる第二の垂直部と、を有し、
前記被係合部が、該第二の垂直部の下端部から前記第二の水平部に向かって切り欠いて形成されていることを特徴とする請求項１記載の引き出しのスライドレール構造。
【発明の詳細な説明】
【技術分野】
【０００１】
本発明は、高強度かつ引き出しを着脱容易なスライドレール構造に関するものである。
【背景技術】
【０００２】
従来の引き出しのスライドレールとして、特許文献１に記載されるものがあった。
【０００３】
上記のスライドレールは、外スライドレール、中層スライドレール、及び内スライドレール、及び外スライドレールと中層スライドレールの間に挟まれた第１スチールボールスライドシートと、中層スライドレールと内スライドレールの間に挟まれた第２スチールボールスライドシートを備えていた。引き出しは、内スライドレールとネジで固定され取り外し可能に形成されていた。
【０００４】
内スライドレールは、プラスチック一体射出成形された係止片を備え、係止片は中層スライドレールに固定された係止ブロックを備えて形成されていた。
【先行技術文献】
【特許文献】
【０００５】
【特許文献１】登録実用新案第３０４０２０２号公報
【発明の概要】
【発明が解決しようとする課題】
【０００６】
しかし、上記のスライドレールでは、引き出しと一体化した内スライドレールを中層スライドレールに嵌め込んで組み付け、取り外す時は、係止片の押圧部を押して離脱させるため、係止又は離脱がスムーズにいかない問題があった。
【０００７】
また、引き出しは、内スライドレールとネジで固定されているため、ネジ部分に引き出し及び収納物によるせん断力が集中してスライドレールの形態が安定しないという問題があった。
【０００８】
本発明は、上記事情に鑑み、着脱容易かつ形態が安定したスライドレール構造を提供するものである。
【課題を解決するための手段】
【０００９】
請求項１記載の発明は、前方が開口したキャビネットの内側壁に固定される外スライドレールと、該外スライドレール内に摺動可能に配設され、前記キャビネット内を前後方向に摺動する引き出しに対して着脱可能な内スライドレールと、を備えた引き出しのスライドレール構造であって、
前面視において前記内スライドレールの前記キャビネットの中心線側には、上方向に前記外スライドレールより突出して配設された第一の支持板が装着され、
該第一の支持板の前記外スライドレールより突出した部分には、前記キャビネットの内側壁側に向かって突出して、前面視において自由端側が上方に向かう断面略Ｌ字状に形成された第一の取付部が形成され、
該第一の取付部の自由端部には、上方に突出する係合凸部が複数形成され、
前記引き出しの両側壁部には、第二の支持板が装着され、
該第二の支持板の上部には、前記引き出しの側壁部の外方向に突出して前面視において自由端側が下方に向かって突出して、断面略Ｌ字状に形成された第二の取付部が形成され、
該第二の取付部には、前記引き出し装着時、前記係合凸部に対応する位置に被係合部が形成され、
前記内スライドレールの前記キャビネットの中心線側の面と、前記外スライドレールのキャビネットの内側壁側の面との間で、前記係合凸部と、前記被係合部とを係合させて前記引き出しが取り付けられることを特徴とする。
【００１０】
請求項２記載の発明は、前記第二の取付部は、水平方向に延びる第二の水平部と、前記第二の水平部の自由端部で鉛直下方向に延びる第二の垂直部と、を有し、
前記被係合部が、該第二の垂直部の下端部から前記第二の水平部に向かって切り欠いて形成されていることを特徴とする。
【発明の効果】
【００１１】
請求項１記載の発明では、前面視において内スライドレールのキャビネットの中心線側に、上方向に外スライドレールより突出して配設された第一の支持板を装着して、第一の支持板の外スライドレールより突出した部分に、キャビネットの内側壁側に向かって突出して、前面視において自由端側が上方に向かう断面略Ｌ字状に形成された第一の取付部を形成して、第一の取付部の自由端部に、上方に突出する係合凸部を複数形成している。
【００１２】
また、引き出しの両側壁部に、第二の支持板を装着して、第二の支持板の上部に、引き出しの側壁部の外方向に突出して前面視において自由端側が下方に向かって突出する、断面略Ｌ字状に形成された第二の取付部を形成して、第二の取付部に、引き出し装着時、係合凸部に対応する位置に被係合部を形成している。
【００１３】
さらに、内スライドレールのキャビネットの中心線側の面と、外スライドレールのキャビネットの内側壁側の面との間で、係合凸部と、被係合部とを係合させて引き出しを取り付けるようにしている。
【００１４】
これにより、係合凸部と被係合部とを係合、解除するだけよいので、引き出しの着脱が容易となる。
【００１５】
また、断面略Ｌ字状に形成された第一の取付部及び第二の取付部により、引き出しの取り付け部分の強度が高まり、引き出しの取り付け時の形態を安定させることができる。
【００１６】
さらに、内スライドレールのキャビネットの中心線側の面と、外スライドレールのキャビネットの内側壁側の面との間で、係合凸部と、被係合部とを係合させることで、第一の支持板にかかる引き出しの荷重点がキャビネットの内側壁側に移動して、第一の支持板が、固着点を支点にキャビネット内側に曲がるのを抑制するので、引き出しを取り付けた時の強度を安定させることができる。
【００１７】
請求項２記載の発明では、第二の取付部を、水平方向に延びる第二の水平部と、第二の水平部の自由端部で鉛直下方向に延びる第二の垂直部と、を有し、被係合部を、第二の垂直部の下端部から第二の水平部に向かって切り欠いて形成している。
【００１８】
これにより、被係合部が凹状に形成されて、引き出し取り付け時にガイドとして機能するので、引き出しの着脱が容易となる。
【図面の簡単な説明】
【００１９】
【図１】本発明における一実施形態のスライドレール構造を示す斜視図である。
【図２】本発明における一実施形態のスライドレール構造の側面図である。
【図３】図２におけるＳ−Ｓ間断面図である。
【図４】図３における丸部分の拡大平面図である。
【図５】図２におけるＴ−Ｔ間部分断面図である。
【発明を実施するための形態】
【００２０】
本発明における引き出しのスライドレール構造の一実施形態を図面に基づいて説明する。以下の説明では、図１におけるキャビネットＫの開口した側を前、その反対側を後ろ、キャビネットＫに引き出し１００を装着して前壁部５側から見た場合の左右を左右方向、上下を上下方向、とする。
【００２１】
図１に示すように、キャビネットＫは、前面が開口する箱状に形成されている。引き出し（収納箱）１００は、上部が開口した箱状でスライドレール構造１を備え、キャビネット内外を前後方向に摺動可能に形成されている。
【００２２】
引き出し１００は、図１に示すように、金属で形成され、底壁部２と、底壁部２と連接して対向する側壁部３と、各側壁部３を連結する後壁部４と、後壁部４と対向する前壁部５と、を備えている。
【００２３】
引き出し１００のスライドレール構造１は、図１、２、３に示すように、キャビネットＫの内側壁Ｋ２に固定される外スライドレール６と、外スライドレール６内に摺動可能に配設された中スライドレール７と、中スライドレール７内に摺動可能に配設され、引き出し１００に対して着脱可能な内スライドレール８と、を備えている。
【００２４】
外スライドレール６は、図１、３に示すように、金属製で前面視において略コ字状に形成され、開口した反対側、つまり、キャビネットＫの内側壁Ｋ２側の端面６１でキャビネットＫの内側壁Ｋ２に止着されている。
【００２５】
中スライドレール７は、図１、３に示すように、金属製で前面視において略コ字状に形成され、外スライドレール６より幅、高さを小さく形成されている。
【００２６】
内スライドレール８は、図１、３に示すように、金属製で前面視において短手方向の両端が屈曲して断面略コ字状に形成され、平面視において長手方向両端部が屈曲して断面略コ字状に形成されている。内スライドレール８は、外スライドレール６からキャビネットＫの中心線Ｋ１側にずらして配設されている。
【００２７】
スライドレール構造１は、図１、２に示すように、外スライドレール６と中スライドレール７の間には、図示しない第一ボールスライドシートが配置され、中スライドレール７と内スライドレール８との間には、図示しない第二ボールスライドシートが配置され、伸縮可能な三段構造に形成されている。
【００２８】
内スライドレール８のキャビネットＫの中心線Ｋ１側の端面８１には、図１、３に示すように、上方向に外スライドレール６より突出して配設された第一の支持板９が装着されている。
【００２９】
第一の支持板９の外スライドレール６より突出した部分には、図３に示すように、キャビネットＫの内側壁Ｋ２側に向かって突出して、前面視において自由端側が上方に向かう断面略Ｌ字状に形成された第一の取付部１１が形成されている。
【００３０】
第一の取付部１１は、水平方向に延びる第一の水平部１２と、キャビネットＫの内側壁Ｋ２側で鉛直上方向に延びる第一の垂直部１３と、を有している。
【００３１】
第一の取付部１１の自由端部１０には、図１に示すように、上方に突出する係合凸部１４が二つ形成されている。係合凸部１４は、側面視において台形状に形成され、上端側に行くに従って幅が細くなる等角度の斜辺を有している。
【００３２】
引き出し１００の底壁部２及び両側壁部３には、図２、３に示すように、第二の支持板１５が装着されている。第二の支持板１５は、図３に示すように、引き出し１００の底壁部２及び両側壁部３の前面視における外形形状に対応した略Ｌ字状に形成されている。第二の支持板１５の上端部には、引き出し１００の側壁部３の外方向に突出して前面視において自由端１６側が下方に向かって突出して、断面略Ｌ字状に形成された第二の取付部１７が形成されている。
【００３３】
第二の取付部１７は、水平方向に延びる第二の水平部１８と、第二の水平部１８の自由端１６部分で鉛直下方向に延びる第二の垂直部２０と、を有している。第二の取付部１７には、引き出し装着時、係合凸部１４に対応する位置に、被係合部２１が形成されている。
【００３４】
被係合部２１は、図１、２に示すように、第二の垂直部２０の下端部から第二の水平部１８に向かって幅が狭小して、切り欠かれて形成されている。図４に示すように、第二の水平部１８において被係合部２１は、細長い矩形状に切り欠かれている。
【００３５】
本実施形態における引き出し１００のスライドレール構造１の機能作用を説明する。
【００３６】
図１に示すように、キャビネットＫに固定された外スライドレール６から、中スライドレール７及び内スライドレール８を引っ張り出す。係合凸部１４及び被係合部２１をガイドにして位置決めをして、図２に示すように、係合凸部１４と被係合部２１とを係合させる。この時、図３に示すように、内スライドレール８のキャビネットＫの中心線Ｋ１側の端面８１と、外スライドレール６のキャビネットＫの内側壁Ｋ２側の端面６１との間で、係合凸部１４と被係合部２１とを係合させて引き出し１００が取り付けられることになる。
【００３７】
すると、図４に示すように、係合凸部１４のキャビネットＫの中心線Ｋ１側と、第二の水平部１８の被係合部２１のキャビネットＫの内側壁Ｋ２側と、がＰ１の部分で当接する。これにより、第一の支持板９がキャビネットＫの中心線Ｋ１側に撓もうとすることを防止する。また、図２、４に示すように、係合凸部１４の斜辺と、第二の水平部１８の被係合部２１の前後方向に位置する辺と、がＰ２、Ｐ３の部分でそれぞれ当接する。これにより、引き出し１００を摺動させた時に前後方向に移動することを防止するとともに、上下方向の移動も防止する。
【００３８】
一対の係合凸部１４及び被係合部２１につき、Ｐ１、Ｐ２、Ｐ３の三か所で支持して、スライドレール構造１には、一対の係合凸部１４と被係合部２１との係合部分が二か所あり、スライドレール構造１は左右一組で使用されるものであるので、本実施形態では、三×二×二の、十二か所で引き出し１００を支持することになる。よって、引き出し１００及び収納物によるせん断力が集中することを防止する。
【００３９】
本実施形態のスライドレール構造１では、前面視において内スライドレール８のキャビネットＫの中心線Ｋ１側に、上方向に外スライドレール６より突出して配設された第一の支持板９を装着して、第一の支持板９の外スライドレール６より突出した部分に、キャビネットＫの内側壁Ｋ２側に向かって突出して、前面視において自由端側が上方に向かう断面略Ｌ字状に形成された第一の取付部１１を形成して、第一の取付部１１の自由端部１０に、上方に突出する係合凸部１４を二つ形成している。
【００４０】
また、引き出し１００の両側壁部３に、第二の支持板１５を装着して、第二の支持板１５の上部に、引き出し１００の側壁部３の外方向に突出して前面視において自由端側が下方に向かって突出する、断面略Ｌ字状に形成された第二の取付部１７を形成して、第二の取付部１７に、引き出し装着時、係合凸部１４に対応する位置に被係合部２１を形成している。
【００４１】
さらに、内スライドレール８のキャビネットＫの中心線Ｋ１側の端面８１と、外スライドレール６のキャビネットＫの内側壁Ｋ２側の端面６１との間で、係合凸部１４と、被係合部２１とを係合させて引き出し１００を取り付けるようにしている。
【００４２】
これにより、係合凸部１４と被係合部２１とを係合、解除するだけよいので、引き出し１００の着脱が容易となる。
【００４３】
また、断面略Ｌ字状に形成された第一の取付部１１及び第二の取付部１７により、引き出し１００の取り付け部分の強度が高まり、引き出し１００の取り付け時の形態を安定させることができる。
【００４４】
また、内スライドレール８のキャビネットＫの中心線Ｋ１側の端面８１と、外スライドレール６のキャビネットＫの内側壁Ｋ２側の端面６１との間で、係合凸部１４と、被係合部２１とを係合させることで、第一の支持板９にかかる引き出し１００の荷重点がキャビネットＫの内側壁Ｋ２側に移動して、第一の支持板９が、固着点を支点にキャビネットＫの中心線Ｋ１側に曲がるのを抑制するので、引き出し１００を取り付けた時の強度を安定させることができる。それに加え、スライドレール構造１をキャビネットＫに配設することにより発生するデッドスペースで引き出し１００を取付けることになるので、引き出し１００の容積をより大きく確保することができる。
【００４５】
また、第二の取付部１７を、水平方向に延びる第二の水平部１８と、第二の水平部１８の自由端１６部分で鉛直下方向に延びる第二の垂直部２０と、を有し、被係合部２１を、第二の垂直部２０の下端部から第二の水平部１８に向かって、切り欠いて形成している。
【００４６】
これにより、被係合部２１が取り付け時にガイドとして機能するので、引き出し１００の着脱が容易となる。
【００４７】
また、内スライドレール８を、外スライドレール６からキャビネットＫの中心線Ｋ１側にずらして配設して、第一の支持板９の第一の取付部１１を、外スライドレール６の上方で屈曲させることで、外スライドレール６と第一の支持板９との干渉を防止するとともに、引き出し１００を第一の支持板９に上から取り付けることになるので、引き出し１００本体の摺動及び取付状態を安定させることができる。
【００４８】
また、引き出し１００の底壁部２側に引き出し１００のスライドレール構造１が配置されないので、引き出し１００の容積を下限いっぱいまで拡大できる。
【００４９】
また、引き出し１００を支持する第一の支持板９の強度が高くなるので引き出し１００を引き出す量も制限いっぱいまで可能となるとともに、引き出し１００の着脱が容易になる。
【００５０】
なお、図５に示すように、係合凸部１４と被係合部２１とが当接する場所を調整して、第一の取付部１１の自由端部１０の係合凸部１４が形成されていない部分を、第二の水平部１８の下面１８１と、当接するようにしてもよい。
【００５１】
また、被係合部２１は、係合凸部１４を挿入可能な長孔状に形成し、第二の水平部１８に設けて、係合凸部１４を挿入することにより係合凸部１４と係合するようにしてもよい。
【００５２】
また、上記の実施形態では、被係合部２１を、第二の垂直部２０の下端部から第二の水平部１８に向かって幅が狭小して、切り欠かれて形成されているが、第二の垂直部２０の下端部から第二の水平部１８に向かって幅を平行に切り欠いてもよい。第二の垂直部２０のキャビネットＫの中心線Ｋ１側の面と、係合凸部１４及び係合凸部１４周辺の第一の垂直部１３のキャビネットＫの内側壁Ｋ２側の面を当接させることになるので、引き出し１００本体の摺動及び取付状態を安定させることができる。
【符号の説明】
【００５３】
Ｋ  キャビネット
Ｋ１  中心線
Ｋ２  内側壁
１００  引き出し
１  スライドレール構造
２  底壁部
３  側壁部
４  後壁部
５  前壁部
６  外スライドレール
６１  端面
８  内スライドレール
８１  端面
９  第一の支持板
１０  自由端部
１１  第一の取付部
１４係合凸部
１５  第二の支持板
１６  自由端
１７  第二の取付部
１８  第二の水平部
２０  第二の垂直部
２１被係合部
【図１】
0005393632.tif 000002
【図２】
0005393632.tif 000003
【図３】
0005393632.tif 000004
【図４】
0005393632.tif 000005
【図５】
0005393632.tif 000006